【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
端末デバイスによって送信される、ｗｅｂページの専用である要求を、サーバにより受信するステップであって、前記ｗｅｂページは画像を備える、前記受信するステップ（Ｓ１０１）と；
前記サーバにより、前記画像を複数の副画像に分割するステップと；
前記サーバにより、前記ｗｅｂページのハイパーテキストマークアップ言語コードを特定するステップであって、前記ハイパーテキストマークアップ言語コードは前記複数の副画像の各副画像に対応するコードを備える、前記特定するステップ（Ｓ１０２）と；
前記サーバから、前記ハイパーテキストマークアップ言語コードを前記端末デバイスへ送信するステップであって、前記ハイパーテキストマークアップ言語コードを受信した後、前記端末デバイスが、前記ハイパーテキストマークアップ言語コード内に備えられる各副画像に対応する前記コードに基づいて、各副画像を表示する、前記送信するステップ（Ｓ１０３）と；を備える、
データ処理方法。
【請求項２】
前記画像によって占有される容量は、所定の容量を超え、
前記画像を複数の副画像に分割する前記ステップは：
前記画像の長さ又は前記画像の幅に基づいて、前記画像を複数の副画像に分割するステップ；又は、
前記所定の容量に基づいて、前記画像を複数の副画像に分割するステップ；のうちの１つ又は複数を備え、
各副画像によって占有される容量は、前記所定の容量以下である、
請求項１に記載のデータ処理方法。
【請求項３】
各副画像に対応する前記コードは、Ｂａｓｅ６４コードを備える、
請求項１に記載のデータ処理方法。
【請求項４】
前記ｗｅｂページのハイパーテキストマークアップ言語コードを特定する前記ステップは：
前記画像を分割して得られる各副画像に対応する前記コードを特定するステップと；
コードのそれぞれをスクリプト言語コード内に書き込むステップであって、前記スクリプト言語コードはＪａｖａ（登録商標）Ｓｃｒｉｐｔコードを備える、前記書き込むステップと；
前記スクリプト言語コードを、前記ｗｅｂページの前記ハイパーテキストマークアップ言語コード内に書き込むステップと；
前記スクリプト言語コードが書き込まれているハイパーテキストマークアップ言語コードを、前記ｗｅｂページの新しいハイパーテキストマークアップ言語コードとして用いるステップと；を備える、
請求項１に記載のデータ処理方法。
【請求項５】
コードのそれぞれをスクリプト言語コード内に書き込む前記ステップは：
前記画像内の前記副画像間の位置関係に基づいて、全ての前記副画像のソート順を特定するステップと；
前記ソート順に基づいて、各副画像に対応する前記コードを、前記スクリプト言語コード内に順次書き込むステップと；を備える、
請求項４に記載のデータ処理方法。
【請求項６】
前記画像内の前記副画像間の位置関係に基づいて、全ての前記副画像のソート順を特定する前記ステップは：
前記ｗｅｂページ内の前記画像の位置及び前記画像内の前記副画像の位置に基づいて、前記ｗｅｂページ内の前記副画像の位置を特定するステップ；を備える、
請求項５に記載のデータ処理方法。
【請求項７】
前記特定された副画像の位置を前記スクリプト言語コード内に書き込むステップ；を更に備える、
請求項６に記載のデータ処理方法。
【請求項８】
端末デバイスから、ｗｅｂページの専用である要求をサーバへ送信するステップ（Ｓ２０１）と；
前記端末デバイスにより、前記サーバによって返された前記ｗｅｂページのハイパーテキストマークアップ言語コードを受信するステップであって、前記ｗｅｂページは画像を備え、前記ｗｅｂページの前記ハイパーテキストマークアップ言語コードは、前記画像を分割して得られた複数の副画像のそれぞれに対応するコードを備える、前記受信するステップ（Ｓ２０２）と；
前記端末デバイスにより、前記ｗｅｂページの前記ハイパーテキストマークアップ言語コードを実行することによって、コードのそれぞれに対して、前記コードに対応する副画像を、前記ｗｅｂページに描画するステップ（Ｓ２０３）と；を備える、
データ処理方法。
【請求項９】
前記ｗｅｂページの前記ハイパーテキストマークアップ言語コードは、スクリプト言語コードを備え、
前記スクリプト言語コードは、前記画像を分割して得られた前記複数の副画像のそれぞれに対応する前記コードを備え、
前記スクリプト言語コードは、Ｊａｖａ（登録商標）Ｓｃｒｉｐｔコードを備える、
請求項８に記載のデータ処理方法。
【請求項１０】
前記ｗｅｂページの前記ハイパーテキストマークアップ言語コードを実行することによって、前記コードに対応する副画像を、前記ｗｅｂページに描画する前記ステップは：
前記ｗｅｂページの前記ハイパーテキストマークアップ言語コード内に含まれる前記スクリプト言語コードを実行するステップと；
前記スクリプト言語コードを用いて、前記スクリプト言語コード内に書き込まれたコードのそれぞれに対応する副画像を、前記ｗｅｂページに順次描画するステップと；を備える、
請求項９に記載のデータ処理方法。
【請求項１１】
前記スクリプト言語コード内に書き込まれたコードのそれぞれに対応する副画像を、前記ｗｅｂページに順次描画する前記ステップは：
コードのそれぞれに対して、前記コードに対応する画像タグを確定するステップと；
前記コードを、前記確定した画像タグ内に書き込むステップと；
前記画像タグを用いて、前記コードに対応する前記副画像を、前記ｗｅｂページに描画するステップと；を備える、
請求項１０に記載のデータ処理方法。
【請求項１２】
前記スクリプト言語コードは、各コードに対応する副画像の位置を記録し、
前記方法は、前記スクリプト言語コードを実行することにより、前記副画像の位置を前記画像タグに書き込むステップ；を更に含む、
請求項１０に記載のデータ処理方法。
【請求項１３】
請求項１から７のいずれか一項に記載の方法に従って動作を実行するように構成された、複数のモジュール（３０１、３０２、３０３）を備える、
データ処理デバイス。
【請求項１４】
請求項８から１２のいずれか一項に記載の方法に従って動作を実行するように構成された、複数のモジュール（４０１、４０２、４０３）を備えるデータ処理デバイス。
データ処理デバイス。
【手続補正２】
【補正対象書類名】明細書
【補正対象項目名】０１０６
【補正方法】変更
【補正の内容】
【０１０６】
前述の説明は、本願の単なる実施であり、本願を限定することを意図するものではない。当業者にとって、本願は様々な修正及び変更を加えることができる。本願の精神及び原理内でなされた任意の修正、均等物の置換、改良などは、本願の特許請求の範囲に含まれるものである。
［第１の局面］
端末デバイスによって送信されｗｅｂページの専用である要求を受信するステップであって、前記ｗｅｂページは画像を備える、前記受信するステップと；
前記ｗｅｂページのハイパーテキストマークアップ言語（ＨＴＭＬ）コードを特定するステップであって、前記ＨＴＭＬコードは各副画像に対応するコードを備え、全ての副画像は前記画像を分割して得られる、前記特定するステップと；
前記ＨＴＭＬコードを前記端末デバイスへ送信するステップであって、前記ＨＴＭＬコードを受信した後、前記端末デバイスが、前記ＨＴＭＬコード内に備えられる各副画像に対応する前記コードに基づいて、各副画像を表示する、前記送信するステップと；を備える、
データ処理方法。
［第２の局面］
前記画像によって占有される容量は所定の容量を超え、
前記画像を分割することは：
前記画像を複数の副画像に分割するステップを備え、各副画像によって占有される容量は前記容量以下である、
第１の局面に記載のデータ処理方法。
［第３の局面］
各副画像に対応する前記コードは、Ｂａｓｅ６４コードを備える、
第１の局面に記載のデータ処理方法。
［第４の局面］
前記ｗｅｂページのハイパーテキストマークアップ言語（ＨＴＭＬ）コードを特定する前記ステップは：
前記画像を分割して得られる各副画像に対応する前記コードを特定するステップと；
コードのそれぞれをスクリプト言語コード内に書き込むステップであって、前記スクリプト言語コードはＪａｖａ（登録商標）Ｓｃｒｉｐｔコードを備える、前記書き込むステップと；
前記スクリプト言語コードを、前記ｗｅｂページの前記ＨＴＭＬコード内に書き込むステップと；
前記スクリプト言語コードが書き込まれているＨＴＭＬコードを、前記ｗｅｂページの新しいＨＴＭＬコードとして用いるステップと；を備える、
第１の局面に記載のデータ処理方法。
［第５の局面］
コードのそれぞれをスクリプト言語コード内に書き込む前記ステップは：
前記画像内の前記副画像間の位置関係に基づいて、全ての前記副画像のソート順を特定するステップと；
前記ソート順に基づいて、各副画像に対応する前記コードを、前記スクリプト言語コード内に順次書き込むステップと；を備える、
第４の局面に記載のデータ処理方法。
［第６の局面］
ｗｅｂページの専用である要求をサーバへ送信するステップと；
前記サーバによって返された前記ｗｅｂページのＨＴＭＬコードを受信するステップであって、前記ｗｅｂページは画像を備え、前記ｗｅｂページの前記ＨＴＭＬコードは、前記画像を分割して得られた複数の副画像のそれぞれに対応するコードを備える、前記受信するステップと；
前記ｗｅｂページの前記ＨＴＭＬコードを実行することによって、コードのそれぞれに対して、前記コードに対応する副画像を、前記ｗｅｂページに描画するステップと；を備える、
データ処理方法。
［第７の局面］
前記ｗｅｂページの前記ＨＴＭＬコードは、スクリプト言語コードを備え、前記スクリプト言語コードは、前記画像を分割して得られた前記複数の副画像のそれぞれに対応する前記コードを備え；
前記スクリプト言語コードはＪａｖａ（登録商標）Ｓｃｒｉｐｔコードを備える、
第６の局面に記載のデータ処理方法。
［第８の局面］
前記ｗｅｂページの前記ＨＴＭＬコードを実行することによって、前記コードに対応する副画像を、前記ｗｅｂページに描画する前記ステップは：
前記ｗｅｂページの前記ＨＴＭＬコード内に含まれる前記スクリプト言語コードを実行するステップと；
前記スクリプト言語コードを用いて、前記スクリプト言語コード内に書き込まれたコードのそれぞれに対応する副画像を、前記ｗｅｂページに順次描画するステップと；を備える、
第７の局面に記載のデータ処理方法。
［第９の局面］
前記スクリプト言語コード内に書き込まれたコードのそれぞれに対応する副画像を、前記ｗｅｂページに順次描画する前記ステップは：
コードのそれぞれに対して、前記コードに対応する画像タグを確定するステップと；
前記コードを、前記確定した画像タグ内に書き込むステップと；
前記画像タグを用いて、前記コードに対応する前記副画像を、前記ｗｅｂページに描画するステップと；を備える、
第８の局面に記載のデータ処理方法。
［第１０の局面］
端末デバイスによって送信され、ｗｅｂページの専用である要求を受信するよう構成された受信モジュールであって、前記ｗｅｂページは画像を備える、前記受信モジュールと；
前記ｗｅｂページのＨＴＭＬコードを特定するよう構成された特定モジュールであって、前記ＨＴＭＬコードは各副画像に対応するコードを備え、全ての副画像は前記画像を分割して得られる、前記特定モジュールと；
前記ＨＴＭＬコードを前記端末デバイスへ送信するよう構成された送信モジュールであって、前記ＨＴＭＬを受信した後、前記ＨＴＭＬコード内に含まれる各副画像に対応する前記コードに基づいて、前記端末デバイスが各副画像を表示する、前記送信モジュールと；を備える、
データ処理デバイス。
［第１１の局面］
前記画像によって占有される容量は所定の容量を超え、
前記特定モジュールは前記画像を複数の副画像に分割し、各副画像によって占有される容量は前記容量以下である、
第１０の局面に記載のデータ処理デバイス。
［第１２の局面］
各副画像に対応する前記コードはＢａｓｅ６４コードを備える、
第１０の局面に記載のデータ処理デバイス。
［第１３の局面］
前記特定モジュールは、前記画像を分割して得られる各副画像に対応する前記コードを特定し；コードのそれぞれをスクリプト言語コード内に書き込み、前記スクリプト言語コードはＪａｖａ（登録商標）Ｓｃｒｉｐｔコードを備え；前記スクリプト言語コードを前記ｗｅｂページの前記ＨＴＭＬコード内に書き込み；前記スクリプト言語コードが書き込まれているＨＴＭＬコードを前記ｗｅｂページの新しいＨＴＭＬコードとして用いる、
第１０の局面に記載のデータ処理デバイス。
［第１４の局面］
前記特定モジュールは、前記画像内の前記副画像間の位置関係に基づいて、全ての前記副画像のソート順を特定し；前記ソート順に基づいて、各副画像に対応する前記コードを前記スクリプト言語コード内に順次書き込む、
第１３の局面に記載のデータ処理デバイス。
［第１５の局面］
ｗｅｂページの専用である要求をサーバへ送信するよう構成された送信モジュールと；
前記サーバによって返された前記ｗｅｂページのＨＴＭＬコードを受信するよう構成された受信モジュールであって、前記ｗｅｂページは画像を備え、前記ｗｅｂページの前記ＨＴＭＬコードは、前記画像を分割して得られた複数の副画像のそれぞれに対応するコードを備える、前記受信モジュールと；
前記ｗｅｂページの前記ＨＴＭＬコードを実行することによって、コードのそれぞれに対して、前記コードに対応する副画像を前記ｗｅｂページに描画するよう構成された描画モジュールと；を備える、
データ処理デバイス。
［第１６の局面］
前記ｗｅｂページの前記ＨＴＭＬコードはスクリプト言語コードを備え、前記スクリプト言語コードは前記画像を分割して得られた前記複数の副画像のそれぞれに対応する前記コードを備え；前記スクリプト言語コードはＪａｖａ（登録商標）Ｓｃｒｉｐｔコードを備える、
第１５の局面に記載のデータ処理デバイス。
［第１７の局面］
前記描画モジュールは、前記ｗｅｂページの前記ＨＴＭＬコード内に含まれる前記スクリプト言語コードを実行し；前記スクリプト言語コードを用いることによって、前記スクリプト言語コード内に書き込まれたコードのそれぞれに対応する副画像を前記ｗｅｂページに順次描画する、
第１６の局面に記載のデータ処理デバイス。
［第１８の局面］
前記描画モジュールは、コードのそれぞれに対して、前記コードに対応する画像タグを確定し；前記コードを前記確定した画像タグ内に書き込み；前記画像タグを用いることによって、前記コードに対応する前記副画像を前記ｗｅｂページに描画する、
第１７の局面に記載のデータ処理デバイス。